(57)【要約】【課題】一定の品質でかしめることが容易にできるかしめ装置を提供する。【解決手段】雌ネジ部材１１と雄ネジ部材１０とを螺合させたネジ部材１０の雌ネジ部材１１の一方の端面側のネジ穴近傍をかしめるかしめ装置１００であって、ネジ部材１０を位置決め保持する基台１１０と、ネジ部材１０をかしめる一対のポンチ１１２と、基台１１０に設けられてポンチ１１２の先端をネジ部材１０のネジ穴近傍に位置させるようにポンチ１１２を上下方向に移動可能に支持するガイドアーチ１１１等と、基台１１０に設けられてガイドアーチ１１１に支持されたポンチ１１２の頭部１１２ａを付勢するアーム１１６等と、アーム１１６に設けられて規定された一定の付勢量を当該アーム１１６に付与するガイドポール１２０やウエイト１２１等とを備えた。【選択図】図１
2010082675.tif 000002
【特許請求の範囲】
【請求項１】
雌ネジ部材と雄ネジ部材とを螺合させたネジ部材の当該雌ネジ部材の一方の端面側のネジ穴近傍をかしめるかしめ装置であって、
前記ネジ部材を位置決め保持する基台と、
前記ネジ部材をかしめるポンチと、
前記基台に設けられて前記ポンチの先端を前記ネジ部材の前記ネジ穴近傍に位置させるように当該ポンチを上下方向に移動可能に支持するポンチ支持手段と、
前記基台に設けられて前記ポンチ支持手段に支持された前記ポンチの頭部を付勢するポンチ付勢手段と、
前記ポンチ付勢手段に設けられて規定された一定の付勢量を当該ポンチ付勢手段に付与する付勢付与手段と
を備えていることを特徴とするかしめ装置。
【請求項２】
請求項１に記載のかしめ装置において、
前記ポンチを２つ備えると共に、
前記ポンチ支持手段が、前記ネジ部材の前記ネジ穴の軸心に対して軸回りで対象となる位置に位置するように２つの前記ポンチをそれぞれ上下方向に移動可能に支持するものである
ことを特徴とするかしめ装置。
【請求項３】
請求項１に記載のかしめ装置において、
前記付勢付与手段が、
前記ポンチ付勢手段に立設されたガイドポールと、
前記ガイドポールの軸方向に沿ってスライド移動できるように当該ガイドポールの外周面に設けられたウエイトと
を備えていることを特徴とするかしめ装置。
【請求項４】
請求項３に記載のかしめ装置において、
前記付勢付与手段が、前記ガイドポールに対する前記ウエイトの上限位置を規定するウエイト上限位置規定手段を備えている
ことを特徴とするかしめ装置。
【請求項５】
請求項３に記載のかしめ装置において、
前記ガイドポールが、前記ポンチ付勢手段に対して着脱可能であると共に、
前記付勢付与手段が、前記ガイドポールからの前記ウエイトの脱落を防止するウエイト脱落防止手段を備えている
ことを特徴とするかしめ装置。
【請求項６】
請求項１に記載のかしめ装置において、
前記ポンチ付勢手段が、
前記基台に設けられた支持台と、
先端側を上下方向へ揺動できるように前記支持台に基端側を回動可能に支持されたアームと、
前記ポンチの頭部の上方に位置するように前記アームに設けられた付勢ヘッドと
を備えていることを特徴とするかしめ装置。
【請求項７】
請求項６に記載のかしめ装置において、
前記付勢付与手段が、
前記ポンチ付勢手段の前記アームの先端側に設けられたレバーと、
前記アームの下方側への回動位置を規定するアーム回動規定手段と
を備えていることを特徴とするかしめ装置。
【発明の詳細な説明】
【技術分野】
【０００１】
本発明は、雌ネジ部材と雄ネジ部材とを螺合させたネジ部材の当該雌ネジ部材の一方の端面側のネジ穴近傍をかしめるかしめ装置に関する。
【背景技術】
【０００２】
螺合する雌ネジ部材と雄ネジ部材との緩み止め等を行う場合、従来は、例えば、作業者が雌ネジ部材の一方の端面側のネジ穴近傍にポンチを当ててハンマで叩くことにより、当該雌ネジ部材の一方の端面側のネジ山を変形させて、かしめるようにしている。
【０００３】
【特許文献１】特開２００７−３１９９５７号公報
【発明の開示】
【発明が解決しようとする課題】
【０００４】
しかしながら、前述したようにしてかしめを行うと、かしめる位置や大きさ（量）を一定にすることが難しいため、かしめ具合にバラツキを生じやすく、品質を一定に保つことが難しくなっていた。
【０００５】
このようなことから、本発明は、一定の品質でかしめることが容易にできるかしめ装置を提供することを目的とする。
【課題を解決するための手段】
【０００６】
前述した課題を解決するための、第一番目の発明に係るかしめ装置は、雌ネジ部材と雄ネジ部材とを螺合させたネジ部材の当該雌ネジ部材の一方の端面側のネジ穴近傍をかしめるかしめ装置であって、前記ネジ部材を位置決め保持する基台と、前記ネジ部材をかしめるポンチと、前記基台に設けられて前記ポンチの先端を前記ネジ部材の前記ネジ穴近傍に位置させるように当該ポンチを上下方向に移動可能に支持するポンチ支持手段と、前記基台に設けられて前記ポンチ支持手段に支持された前記ポンチの頭部を付勢するポンチ付勢手段と、前記ポンチ付勢手段に設けられて規定された一定の付勢量を当該ポンチ付勢手段に付与する付勢付与手段とを備えていることを特徴とする。
【０００７】
第二番目の発明に係るかしめ装置は、第一番目の発明において、前記ポンチを２つ備えると共に、前記ポンチ支持手段が、前記ネジ部材の前記ネジ穴の軸心に対して軸回りで対象となる位置に位置するように２つの前記ポンチをそれぞれ上下方向に移動可能に支持するものであることを特徴とする。
【０００８】
第三番目の発明に係るかしめ装置は、第一番目の発明において、前記付勢付与手段が、前記ポンチ付勢手段に立設されたガイドポールと、前記ガイドポールの軸方向に沿ってスライド移動できるように当該ガイドポールの外周面に設けられたウエイトとを備えていることを特徴とする。
【０００９】
第四番目の発明に係るかしめ装置は、第三番目の発明において、前記付勢付与手段が、前記ガイドポールに対する前記ウエイトの上限位置を規定するウエイト上限位置規定手段を備えていることを特徴とする。
【００１０】
第五番目の発明に係るかしめ装置は、第三番目の発明において、前記ガイドポールが、前記ポンチ付勢手段に対して着脱可能であると共に、前記付勢付与手段が、前記ガイドポールからの前記ウエイトの脱落を防止するウエイト脱落防止手段を備えていることを特徴とする。
【００１１】
第六番目の発明に係るかしめ装置は、第一番目の発明において、前記ポンチ付勢手段が、前記基台に設けられた支持台と、先端側を上下方向へ揺動できるように前記支持台に基端側を回動可能に支持されたアームと、前記ポンチの頭部の上方に位置するように前記アームに設けられた付勢ヘッドとを備えていることを特徴とする。
【００１２】
第七番目の発明に係るかしめ装置は、第六番目の発明において、前記付勢付与手段が、前記ポンチ付勢手段の前記アームの先端側に設けられたレバーと、前記アームの下方側への回動位置を規定するアーム回動規定手段とを備えていることを特徴とする。
【発明の効果】
【００１３】
本発明に係るかしめ装置によれば、規定された一定の付勢量をポンチ付勢手段に付勢付与手段で付与することができることから、ネジ部材に対するかしめ位置や大きさ（量）を一定にすることが簡単にできるので、一定の品質でかしめることが容易にできる。
【発明を実施するための最良の形態】
【００１４】
本発明に係るかしめ装置の実施形態を図面に基づいて以下に説明するが、本発明は図面に基づいて説明する以下の実施形態のみに限定されるものではない。
【００１５】
〈主な実施形態〉
本発明に係るかしめ装置の主な実施形態を図１〜３に基づいて説明する。図１は、かしめ装置の側面図、図２は、図１のII−II線断面矢線視図、図３は、図１の III−III 線断面矢線視図である。
【００１６】
図１〜３に示すように、雌ネジ部材１１と雄ネジ部材１２とを螺合させたネジ部材１０を所定の位置に位置決め保持する位置決め溝１１０ａを有する基台１１０の上部には、門型のガイドアーチ１１１が当該ネジ部材１０の当該雌ネジ部材１１のネジ穴の上部にアーチ部１１１ａを位置させるようにして取り付けられている。
【００１７】
前記ガイドアーチ１１１のアーチ部１１１ａには、当該アーチ部１１１ａを上下方向に貫通する一対のガイド穴１１１ｂが、当該アーチ部１１１ａの長手方向中央部分を短手方向に沿って横断する垂直平面を中心にして対称の位置に位置するようにそれぞれ形成されており、当該ガイド穴１１１ｂは、上側よりも下側が上記平面に対して接近するようにそれぞれ傾斜している。前記ガイドアーチ１１１の前記ガイド穴１１１ｂには、半球状の頭部１１２ａを有するポンチ１１２がスライド移動可能にそれぞれ差し込まれている。
【００１８】
つまり、前記ガイドアーチ１１１は、対をなす前記ポンチ１１２を、前記ネジ部材１０の雌ネジ部材１１のネジ穴の軸心に対して軸回りで対象となる位置に位置させると共に、当該雌ネジ部材１１のネジ穴近傍に先端を位置させるように、上下方向へスライド移動可能にそれぞれ支持しているのである。
【００１９】
前記ポンチ１１２の外周には、圧縮コイルばね１１３がそれぞれ配設されており、当該圧縮コイルばね１１３は、当該ポンチ１１２の前記頭部１１２ａの下端面に一端側が係合する一方、上側を下側よりも大径とするように前記ガイドアーチ１１１の前記ガイド穴１１１ｂに形成された段部１１１ｃに他端側が係合している。
【００２０】
つまり、前記圧縮コイルばね１１３は、前記ポンチ１１２が前記頭部１１２ａを付勢されると、当該ポンチ１１２を当初の位置に復帰させるように当該ポンチ１１２を付勢することができるようになっているのである。
【００２１】
前記基台１１０の上部には、支持台１１４が立設されている。前記支持台１１４の上部には、先端側を上下方向へ揺動できるようにアーム１１６の基端側が軸１１５を介して回動可能に支持されており、当該アーム１１６は、前記ガイドアーチ１１１の前記アーチ部１１１ａの長手方向中央部分を当該アーチ部１１１ａの短手方向に横断する方向へ長手方向を向けるようにして配向されている。前記アーム１１６の下面の、前記ポンチ１１２の前記頭部１１２ａの上方部分には、当該ポンチ１１２の前記頭部１１２ａと当接する円弧状をなす付勢面１１７ａを有する付勢ヘッド１１７が取り付けられている。
【００２２】
前記アーム１１６の上面の、前記付勢ヘッド１１７の上部位置部分には、受台１１８が取り付けられている。前記受台１１８上には、支持ピン１１９が立設されている。前記支持ピン１１９には、当該支持ピン１１９と嵌合する嵌合穴１２０ａを先端側に軸方向に沿って形成されたガイドポール１２０の当該先端側が着脱可能に差し込まれている。前記ガイドポール１２０の外周面には、当該ガイドポール１２０の軸方向に沿ってスライド移動可能なウエイト１２１が設けられている。
【００２３】
前記ガイドポール１２０の基端側の外周面には、グリッパ１２２が取り付けられており、当該グリッパ１２２は、前記ウエイト１２１の上限位置を規定すると共に、当該ガイドポール１２０からの当該ウエイト１２１の脱落を防止することができるようになっている。前記ガイドポール１２０の先端側には、当該ガイドポール１２０の径方向に沿って貫通する抜け止めピン１２３が設けられており、当該抜け止めピン１２３は、当該ガイドポール１２０からの前記ウエイト１２１の脱落を防止することができるようになっている。
【００２４】
また、前記アーム１１６の先端側には、レバー１２４の基端側が着脱可能に螺合している。前記支持台１１４には、前記アーム１１６の下方側への回動位置を規定する位置規定ピン１２５が取り付けられている。
【００２５】
なお、本実施形態においては、ガイドアーチ１１１，圧縮コイルばね１１３等によりポンチ支持手段を構成し、支持台１１４，軸１１５，アーム１１６，付勢ヘッド１１７等によりポンチ付勢手段を構成し、グリッパ１２２等によりウエイト上限位置規定手段を構成し、グリッパ１２２，抜け止めピン１２３等によりウエイト脱落防止手段を構成し、受台１１８，支持ピン１１９，ガイドポール１２０，ウエイト１２１，グリッパ１２２，抜け止めピン１２３等により第一の付勢付与手段を構成し、レバー１２４，位置規定ピン１２５等により第二の付勢付与手段を構成している。
【００２６】
このような本実施形態に係るかしめ装置１００の作用を次に説明する。
【００２７】
まず、ネジ部材１０を前記基台１１０の前記位置決め溝１１０ａに差し込んで、雌ネジ部材１１の一方の端面側のネジ穴近傍を前記ポンチ１１２の先端側の下方位置に位置させるように位置決めする。
【００２８】
次に、前記ウエイト１２１を前記グリッパ１２２にまで当接させるように前記ガイドポール１２０に沿って持ち上げた後、当該ウエイト１２１を自然落下させると、当該ウエイト１２１が前記受台１１８に衝突し、その衝撃力（付勢力）が前記アーム１１６及び前記付勢ヘッド１１７を介して一対の前記ポンチ１１２に同時に加わることにより、前記雌ネジ部材１１の一方の端面側のネジ山の、ネジ穴の軸心を中心とした点対称となる一対の位置が変形して、前記ネジ部材１０がかしめられる（二箇所）。
【００２９】
つまり、本実施形態に係るかしめ装置１００では、ウエイト１２１を一定の高さから落下させることにより、規定された一定の付勢量を前記ポンチ１１２に付与することができるようにしたのである。
【００３０】
このため、本実施形態に係るかしめ装置１００においては、ネジ部材１０に対するかしめ位置や大きさ（量）を一定にすることが簡単にできる。
【００３１】
したがって、本実施形態に係るかしめ装置１００によれば、一定の品質でかしめることが容易にできる。
【００３２】
他方、ネジ部材１０が比較的低い耐衝撃性の材料等からなるときには、前記ガイドポール１２０を前記支持ピン１１９から抜き取って前記ウエイト１２１と共に取り外して、ネジ部材１０を先の説明と同様にして前記基台１１０に位置決め保持させた後、前記アーム１１６を前記位置規定ピン１１５に当接させるまで前記レバー１２４を下方へ徐々に付勢していくと、前記アーム１１６及び前記付勢ヘッド１１７を介して一対の前記ポンチ１１２が同時に下方へ付勢され、先の説明と同様にして、前記ネジ部材１０がかしめられる。
【００３３】
このとき、前記アーム１１６は、前記位置規定ピン１２５により、下方側への回動位置が規定されているので、規定された一定の付勢量を前記ポンチ１１２に前記付勢ヘッド１１７を介して付与することができる。
【００３４】
したがって、本実施形態に係るかしめ装置１００によれば、比較的低い耐衝撃性の材料等からなるネジ部材１０であっても、損傷させることなく、かしめ位置や大きさ（量）を一定にしてかしめることが簡単にできる。
【００３５】
また、対をなす前記ポンチ１１２を、前記ネジ部材１０の雌ネジ部材１１のネジ穴の軸心に対して軸回りで対象となる位置に位置させて当該雌ネジ部材１１のネジ穴をかしめるようにしたことから、当該雌ネジ部材１１のネジ穴のつる巻き線がどのような位置から開始していたとしても、当該ネジ穴のネジ山の少なくとも一箇所を必ず変形させることができるので、緩み止めを確実に行うことができる。
【００３６】
また、前記ガイドポール１２０や前記レバー１２４を前記アーム１１６に対して着脱可能に設けたことから、かしめ作業に不要な場合やかしめ作業を終えて収納する場合には、基台１１０の周囲から大きく突出する当該ガイドポール１２０や当該レバー１２４を当該アーム１１６から取り外しておくことができるので、作業性や収納性を向上させることができる。
【００３７】
〈他の実施形態〉
なお、前述した実施形態においては、レバー１２４や位置規定ピン１２５等により、規定された一定の付勢量をポンチ１１２に付与するようにしたが、他の実施形態として、レバー１２４や位置規定ピン１２５等に代えて、例えば、前記アーム１１６に油圧シリンダ等を連結し、一定のストローク長や一定の油圧で当該アーム１１６を付勢することにより、規定された一定の付勢量を前記ポンチ１１２に付与するようにすることも可能である。
【産業上の利用可能性】
【００３８】
本発明に係るかしめ装置は、ネジ部材に対して一定の品質でかしめることが容易にできるので、各種の機械製造業等において、極めて有益に利用することができる。
【図面の簡単な説明】
【００３９】
【図１】本発明に係るかしめ装置の主な実施形態の側面図である。
【図２】図１のII−II線断面矢線視図である。
【図３】図１の III−III 線断面矢線視図である。
【符号の説明】
【００４０】
１０  ネジ部材
１１  雌ネジ部材
１２  雄ネジ部材
１００  かしめ装置
１１０  基台
１１０ａ  位置決め溝
１１１  ガイドアーチ
１１１ａ  アーチ部
１１１ｂ  ガイド穴
１１１ｃ  段部
１１２  ポンチ
１１２ａ  頭部
１１３  圧縮コイルばね
１１４  支持台
１１５  軸
１１６  アーム
１１７  付勢ヘッド
１１７ａ  付勢面
１１８  受台
１１９  支持ピン
１２０  ガイドポール
１２０ａ  嵌合穴
１２１  ウエイト
１２２  グリッパ
１２３  抜け止め
１２４  レバー
１２５  位置規定ピン
【図１】
2010082675.tif 000003
【図２】
2010082675.tif 000004
【図３】
2010082675.tif 000005